(57)【要約】【課題】溝または集水桝への設置時、容器に収容した薬剤を用いて前記溝または集水桝における害虫の発生を防止できるだけでなく、前記容器が不衛生な状態で前記薬剤の補充作業を行うことを回避できるとともに、前記溝または集水桝内の水の流れを阻害せず、前記容器の流失を防止できるグレーチングを提供する。【解決手段】グレーチング１が、前記溝または集水桝の開口部に装着可能に構成されたグレーチング本体と、害虫防除用の薬剤を収容するための収容部、導入口、および、放出孔を有し、前記導入口が前記収容部の内部空間を前記グレーチング本体における前記グレーチング本体の貫通孔と連通させかつ前記溝または集水桝の開口部への前記グレーチング本体の装着時に前記放出孔が前記溝または集水桝の内部空間に臨むように、前記グレーチング本体の下面部側に固定された容器とを備える。【選択図】図１
2019056257.tif 000002
【特許請求の範囲】
【請求項１】
上面部、下面部、および、前記上面部から前記下面部までを貫通する複数の貫通孔を有し、前記上面部が溝または集水桝の外部空間に臨みかつ前記下面部が前記溝または集水桝の内部空間に臨むように前記溝または集水桝の開口部に装着可能に構成されたグレーチング本体と、
害虫防除用の薬剤を収容するための収容部、前記収容部の内部空間に前記薬剤を導入するための導入口、および、前記収容部の内部空間から前記収容部の外部空間へ前記薬剤を放出するための放出孔を有し、前記導入口が前記収容部の内部空間を前記グレーチング本体における前記複数の貫通孔のうち少なくとも１つの貫通孔と連通させかつ前記溝または集水桝の開口部への前記グレーチング本体の装着時に前記放出孔が前記溝または集水桝の内部空間に臨むように、前記グレーチング本体の下面部側に固定された容器とを備える、グレーチング。
【請求項２】
前記容器を前記グレーチング本体に着脱可能に固定するための着脱機構を備える、請求項１に記載のグレーチング。
【請求項３】
前記容器の収容部の内部空間へ、前記グレーチング本体における前記複数の貫通孔のうち前記収容部の内部空間と連通する貫通孔と、前記容器の導入口とを介して導入される水の量を調整するための水量調整機構を備える、請求項１または請求項２に記載のグレーチング。
【請求項４】
上面部、下面部、および、前記上面部から前記下面部までを貫通する複数の貫通孔を有し、前記上面部が溝または集水桝の外部空間に臨みかつ前記下面部が前記溝または集水桝の内部空間に臨むように前記溝または集水桝の開口部に装着可能に構成されたグレーチング本体と、
害虫防除用の薬剤を収容するための収容部と、前記収容部の内部空間に前記薬剤を導入するための導入口と、前記収容部の内部空間から前記収容部の外部空間へ前記薬剤を放出するための放出孔とを有し、前記溝または集水桝の開口部への前記グレーチング本体の装着時に前記放出孔が前記溝または集水桝の内部空間に臨むように、前記グレーチング本体の下面部側に固定された容器と、
前記容器を前記グレーチング本体に着脱可能に固定するための着脱機構とを備える、グレーチング。
【請求項５】
前記グレーチング本体における前記複数の貫通孔のうち前記導入口に対して前記グレーチング本体側に配置された貫通孔を閉塞するための閉塞部材を備える、請求項４に記載のグレーチング。
【請求項６】
上面部、下面部、および、前記上面部から前記下面部までを貫通する複数の貫通孔を有し、前記上面部が溝または集水桝の外部空間に臨みかつ前記下面部が前記溝または集水桝の内部空間に臨むように前記溝または集水桝の開口部に装着可能に構成されたグレーチング本体と、
害虫防除用の薬剤を収容するための収容部と、前記収容部の内部空間に前記薬剤を導入するための導入口と、前記収容部の内部空間から前記収容部の外部空間へ前記薬剤を放出するための放出孔とを有し、前記溝または集水桝の開口部への前記グレーチング本体の装着時に前記導入口および前記放出孔がそれぞれ前記溝または集水桝の内部空間に臨むように、前記グレーチング本体の下面部側に固定された容器とを備える、グレーチング。
【請求項７】
前記容器が、
前記導入口を開閉可能に覆うための開閉部材を有する、請求項６に記載のグレーチング。
【請求項８】
前記容器が、
前記収容部の内部空間を前記グレーチング本体における前記複数の貫通孔のうち少なくとも１つの貫通孔と連通させるための連通孔を有する、請求項６または請求項７に記載のグレーチング。
【請求項９】
前記容器の収容部の内部空間へ、前記グレーチング本体における前記複数の貫通孔のうち前記収容部の内部空間と連通する貫通孔と、前記容器の連通孔とを介して導入される水の量を調整するための水量調整機構を備える、請求項８に記載のグレーチング。
【発明の詳細な説明】
【技術分野】
【０００１】
本発明は、グレーチングに関する。
【背景技術】
【０００２】
従来、排水・汚水の流通路をなす溝または集水桝には、グレーチングが設置されたものがある。そして、このような溝または集水桝のうち任意の領域（例えば、水が滞留しやすい領域）に対して、蚊またはハエ等の害虫が発生することを防止するために、害虫防除手段が適用されることがある。
【０００３】
前記害虫防除手段としては、例えば、特許文献１（図４等）に、害虫忌避剤を収容した害虫防除具を集水桝の溜まり水に没するように吊下手段により前記集水桝の開口部側から宙吊りして、水没状態にある前記害虫防除具から前記集水桝の溜まり水に前記害虫忌避剤を放出するものが開示されている。
【先行技術文献】
【特許文献】
【０００４】
【特許文献１】特開２０１６−０９６７７８号公報
【発明の概要】
【発明が解決しようとする課題】
【０００５】
特許文献１に記載のような害虫防除手段によれば、害虫防除具が、集水桝内で水中に設置されるので、前記集水桝内の水に含まれる泥等の汚物によりひどく汚れる場合が多い。そのため、汚れた前記害虫防除具および吊下手段を前記集水桝から取り出し、不衛生な前記害虫防除具に対して害虫忌避剤を補充しなければならない問題がある。
【０００６】
また、集中豪雨の発生等により前記集水桝内で増水が生じた場合には、前記吊下手段により宙吊りにされた前記害虫防除具が前記集水桝から排出されようとする水の流れを阻害する問題がある。さらに、前記集水桝内の水の流れが勢いを増した場合には、前記害虫防除具が、水の影響を受けて前記吊下手段から外れてしまい、流失する問題がある。
【０００７】
本発明は、このような問題に鑑みてなされたものであり、溝または集水桝への設置時、容器に収容した薬剤を用いて前記溝または集水桝における害虫の発生を防止できるだけでなく、前記容器が不衛生な状態で前記薬剤の補充作業を行うことを回避できるとともに、前記溝または集水桝内の水の流れを阻害せず、前記容器の流失を防止できるグレーチングの提供を目的とする。
【課題を解決するための手段】
【０００８】
本発明は、
上面部、下面部、および、前記上面部から前記下面部までを貫通する複数の貫通孔を有し、前記上面部が溝または集水桝の外部空間に臨みかつ前記下面部が前記溝または集水桝の内部空間に臨むように前記溝または集水桝の開口部に装着可能に構成されたグレーチング本体と、
害虫防除用の薬剤を収容するための収容部、前記収容部の内部空間に前記薬剤を導入するための導入口、および、前記収容部の内部空間から前記収容部の外部空間へ前記薬剤を放出するための放出孔を有し、前記導入口が前記収容部の内部空間を前記グレーチング本体における前記複数の貫通孔のうち少なくとも１つの貫通孔と連通させかつ前記溝または集水桝の開口部への前記グレーチング本体の装着時に前記放出孔が前記溝または集水桝の内部空間に臨むように、前記グレーチング本体の下面部側に固定された容器とを備えるグレーチングであり得る。
【０００９】
この構成によれば、前記グレーチングの使用時、即ち前記グレーチングを前記溝または集水桝に設置したとき（前記グレーチング本体を前記溝または集水桝の開口部に装着したとき）、前記収容部に収容した前記薬剤を前記溝または集水桝の内部空間へ前記放出孔を介して放出することが可能となる。したがって、前記薬剤を用いて、前記溝または集水桝における害虫の発生を防止できる。
【００１０】
また、前記薬剤として、前記グレーチング本体の貫通孔を通過可能な大きさを有する粒状、粉状、錠剤状また細断状等の薬剤を使用する場合、前記溝または集水桝の開口部に装着された前記グレーチング本体を当該開口部から取り外すことなく、即ち前記グレーチングを前記溝または集水桝に設置したまま、前記薬剤を前記貫通孔および前記容器の導入口を介して前記収容部に補充できる。
【００１１】
そのため、前記グレーチング本体が前記溝または集水桝の開口部に装着された状態で時間が経過して、前記溝または集水桝内の水に含まれる泥等の汚物により前記収容部（前記容器）が汚れた場合であっても、この収容部の衛生状態にかかわりなく、薬剤の補充作業を行うことが可能となる。よって、不衛生な状態で薬剤の補充作業を行うことを回避できる。
【００１２】
さらに、前記グレーチングの使用時に、集中豪雨の発生等により前記溝または集水桝内において増水が生じた場合であっても、前記容器を水没しにくいものにして、前記溝または集水桝から排出されようとする水の流れを前記容器が阻害することを抑制できる。しかも、前記容器を前記グレーチング本体に固定するので、このような場合に前記容器が流失することを防止できる。
【００１３】
また、前記グレーチングの使用時には、前記グレーチング本体を前記溝または集水桝の開口部に装着した状態で、降雨等の自然現象や人為的な給水行為による水を、前記溝または集水桝の外部空間から、前記グレーチング本体の所定の貫通孔とこれに連通する前記容器の導入口を介して、前記収容部の内部空間に導入することが可能となる。
【００１４】
したがって、前記薬剤を水溶性薬剤とした場合に、前記収容部の内部空間に導入された水により、当該収容部の内部空間に収容された前記薬剤を任意の時期に水に溶かして前記溝または集水桝の内部空間に放出できる。よって、前記薬剤を、前記収容部に一旦収容すれば、手間をあまりかけることなく、比較的長期間に亘って効果を持続するものにできる。
【００１５】
本発明の別の態様によれば、
前記グレーチングが、前記容器を前記グレーチング本体に着脱可能に固定するための着脱機構を備える。
【００１６】
この構成によれば、前記着脱機構を用いて、前記容器を前記グレーチング本体に対して着脱することが可能となる。前記容器を前記グレーチング本体から取り外すことによって、前記容器の導入口をこれに近接した状態で対向する前記グレーチング本体から離間させ、これにより開放された前記導入口を介して前記薬剤を前記容器の収容部に補充できる。
【００１７】
たとえば、前記薬剤として、前記グレーチング本体の貫通孔を通過不能な大きさを有する塊状の薬剤を使用する場合、前記溝または集水桝に設置された前記グレーチングのグレーチング本体を前記溝または集水桝の開口部から取り外し、つづいて前記容器を前記グレーチング本体から取り外すことによって、前記容器の導入口を開放し、その導入口を介して前記薬剤を前記収容部に補充できる。
【００１８】
前記容器（前記収容部）は、通常、前記溝または集水桝内の水の外側に位置させて、前記溝または集水桝内で水中に設置せずに済む。そのため、前記収容部を前記グレーチングの使用時に汚れにくくして、前記グレーチング本体を前記溝または集水桝の開口部から取り外したとき（前記容器を前記溝または集水桝から取り出したとき）に前記収容部が不衛生なものになっていることを防止できる。よって、不衛生な状態で薬剤の補充作業を行うことを回避できる。
【００１９】
本発明の更なる態様によれば、
前記グレーチングが、
前記容器の収容部の内部空間へ、前記グレーチング本体における前記複数の貫通孔のうち前記収容部の内部空間と連通する貫通孔と、前記容器の導入口とを介して導入される水の量を調整するための水量調整機構を備える。
【００２０】
この構成によれば、前記グレーチングを前記溝または集水桝に設置した場合に、水が前記溝または集水桝の外部空間から前記貫通孔および前記導入口を介して前記収容部の内部空間に入ろうとするとき、その水の量を前記水量調整機構により調整することが可能となる。したがって、前記収容部の内部空間へ入る水の量が所定期間で所望の量を超えることを回避できる。
【００２１】
すなわち、降雨等の自然現象や人為的な給水行為による水が前記溝または集水桝の外部空間から前記貫通孔および前記導入口を介して前記収容部の内部空間へ導入されるとき、その導入される水の導入量が一時に過剰となることを回避できる。したがって、前記薬剤を水溶性薬剤とした場合に、前記薬剤が予期しないほど早く減少することを防止できる。
【００２２】
本発明は、また、
上面部、下面部、および、前記上面部から前記下面部までを貫通する複数の貫通孔を有し、前記上面部が溝または集水桝の外部空間に臨みかつ前記下面部が前記溝または集水桝の内部空間に臨むように前記溝または集水桝の開口部に装着可能に構成されたグレーチング本体と、
害虫防除用の薬剤を収容するための収容部と、前記収容部の内部空間に前記薬剤を導入するための導入口と、前記収容部の内部空間から前記収容部の外部空間へ前記薬剤を放出するための放出孔とを有し、前記溝または集水桝の開口部への前記グレーチング本体の装着時に前記放出孔が前記溝または集水桝の内部空間に臨むように、前記グレーチング本体の下面部側に固定された容器と、
前記容器を前記グレーチング本体に着脱可能に固定するための着脱機構とを備えるグレーチングであり得る。
【００２３】
この構成によれば、前記グレーチングの使用時、即ち前記グレーチングを前記溝または集水桝に設置したとき（前記グレーチング本体を前記溝または集水桝の開口部に装着したとき）、前記収容部に収容した前記薬剤を前記集水桝の内部空間へ前記放出孔を介して放出することが可能となる。したがって、前記薬剤を用いて、前記溝または集水桝における害虫の発生を防止できる。
【００２４】
また、前記着脱機構を用いて、前記容器を前記グレーチング本体に対して着脱することが可能となる。したがって、前記容器を前記グレーチング本体から取り外すことによって、前記容器の導入口をこれに近接した状態で対向する前記グレーチング本体から離間させ、これにより開放された前記導入口を介して前記薬剤を前記容器の収容部に補充できる。
【００２５】
たとえば、前記薬剤として、前記グレーチング本体の貫通孔を通過不能な大きさを有する塊状の薬剤を使用する場合、前記溝または集水桝の開口部に装着された前記グレーチング本体を当該開口部から取り外し、つづいて前記容器を前記グレーチング本体から取り外すことによって、前記容器の導入口を開放し、その導入口を介して前記薬剤を前記収容部に補充できる。
【００２６】
前記容器（前記収容部）は、通常、前記溝または集水桝内の水の外側に位置させて、前記溝または集水桝内で水中に設置せずに済む。そのため、前記収容部を前記グレーチングの使用時に汚れにくくして、前記グレーチング本体を前記溝または集水桝の開口部から取り外したとき（前記容器を前記溝または集水桝から取り出したとき）に前記収容部が不衛生なものになっていることを防止できる。よって、不衛生な状態で薬剤の補充作業を行うことを回避できる。
【００２７】
さらに、前記グレーチングの使用時に、集中豪雨の発生等により前記溝または集水桝内において増水が生じた場合であっても、前記容器を水没しにくいものにして、前記溝または集水桝から排出されようとする水の流れを前記容器が阻害することを抑制できる。しかも、前記容器を前記グレーチング本体に固定するので、このような場合に前記容器が流失することを防止できる。
【００２８】
本発明の別の態様によれば、
前記グレーチングが、
前記グレーチング本体における前記複数の貫通孔のうち前記導入口に対して前記グレーチング本体側に配置された貫通孔を閉塞するための閉塞部材を備える。
【００２９】
この構成によれば、前記閉塞部材により前記容器の導入口をその上方側（前記グレーチング本体側）から遮蔽することが可能となる。したがって、前記グレーチング本体が前記溝または集水桝の開口部に装着された状態で、前記溝または集水桝の外部空間から前記貫通孔および前記導入口を介して前記収容部の内部空間にゴミ等の不要物が入ることを抑制できる。
【００３０】
本発明は、更に、
上面部、下面部、および、前記上面部から前記下面部までを貫通する複数の貫通孔を有し、前記上面部が溝または集水桝の外部空間に臨みかつ前記下面部が前記溝または集水桝の内部空間に臨むように前記溝または集水桝の開口部に装着可能に構成されたグレーチング本体と、
害虫防除用の薬剤を収容するための収容部と、前記収容部の内部空間に前記薬剤を導入するための導入口と、前記収容部の内部空間から前記収容部の外部空間へ前記薬剤を放出するための放出孔とを有し、前記溝または集水桝の開口部への前記グレーチング本体の装着時に前記導入口および前記放出孔がそれぞれ前記溝または集水桝の内部空間に臨むように、前記グレーチング本体の下面部側に固定された容器とを備えるグレーチングであり得る。
【００３１】
この構成によれば、前記グレーチングの使用時、即ち前記グレーチングを前記溝または集水桝に設置したとき（前記グレーチング本体を前記溝または集水桝の開口部に装着したとき）、前記収容部に収容した前記薬剤を前記集水桝の内部空間へ前記放出孔を介して放出することが可能となる。したがって、前記薬剤を用いて、前記溝または集水桝における害虫の発生を防止できる。
【００３２】
また、前記溝または集水桝への前記グレーチングの設置時、前記溝または集水桝の開口部に装着された前記グレーチング本体を当該開口部から取り外すことによって、前記容器の導入口を前記溝または集水桝の外部空間に露出させ、導入口を介して前記薬剤を前記収容部に補充できる。
【００３３】
前記容器（前記収容部）は、通常、前記溝または集水桝内の水の外側に位置させて、前記溝または集水桝内で水中に設置せずに済む。そのため、前記収容部を前記グレーチングの使用時に汚れにくくして、前記グレーチング本体を前記溝または集水桝の開口部から取り外したとき（前記容器を前記溝または集水桝から取り出したとき）に前記収容部が不衛生なものになっていることを防止できる。よって、不衛生な状態で薬剤の補充作業を行うことを回避できる。
【００３４】
さらに、前記グレーチングの使用時に、集中豪雨の発生等により前記溝または集水桝内において増水が生じた場合であっても、前記容器を水没しにくいものにして、前記溝または集水桝から排出されようとする水の流れを前記容器が阻害することを抑制できる。しかも、前記容器を前記グレーチング本体に固定するので、このような場合に前記容器が流失することを防止できる。
【００３５】
本発明のまた別の態様によれば、
前記容器が、
前記導入口を開閉可能に覆うための開閉部材を有する。
【００３６】
この構成によれば、前記開閉部材を閉じられた状態とすることによって、前記収容部への前記薬剤の収容後に、前記薬剤が前記収容部の外部空間に前記導入口から抜け落ちることを防止できる。また、前記溝または集水桝内の水が前記収容部の内部空間に浸入することを阻止して、前記薬剤が水溶性薬剤である場合に、想定外の水により前記薬剤が予期しないほど早く減少することを防止できる。
【００３７】
本発明のまた別の態様によれば、
前記容器が、
前記収容部の内部空間を前記グレーチング本体における前記複数の貫通孔のうち少なくとも１つの貫通孔と連通させるための連通孔を有する。
【００３８】
この構成によれば、前記グレーチングの使用時に、前記グレーチング本体を前記溝または集水桝の開口部に装着した状態で、降雨等の自然現象や人為的な給水行為による水を、前記溝または集水桝の外部空間から、前記グレーチング本体の貫通孔とこれに連通する前記容器の連通孔を介して、前記収容部の内部空間に導入することが可能となる。
【００３９】
したがって、前記薬剤を水溶性薬剤とした場合に、前記収容部の内部空間に導入された水により、当該収容部の内部空間に収容された前記薬剤を任意の時期に水に溶かして前記溝または集水桝の内部空間に放出できる。よって、前記薬剤を、前記収容部に一旦収容すれば、手間をあまりかけることなく、比較的長期間にわったて効果を持続するものにできる。
【００４０】
本発明のまた別の態様によれば、
前記グレーチングが、
前記容器の収容部の内部空間へ、前記グレーチング本体における前記複数の貫通孔のうち前記収容部の内部空間と連通する貫通孔と、前記容器の連通孔とを介して導入される水の量を調整するための水量調整機構を備える。
【００４１】
この構成によれば、前記グレーチングを前記溝または集水桝に設置した場合に、水が前記溝または集水桝の外部空間から前記貫通孔および前記連通孔を介して前記収容部の内部空間に入ろうとするとき、その水の量を前記水量調整機構により調整することが可能となる。したがって、前記収容部の内部空間へ入る水の量が所定期間で所望の量を超えることを回避できる。
【００４２】
すなわち、降雨等の自然現象や人為的な給水行為による水が前記溝または集水桝の外部空間から前記貫通孔および前記連通孔を介して前記収容部の内部空間へ導入されるとき、その導入される水の導入量が一時に過剰となることを回避できる。したがって、前記薬剤を水溶性薬剤とした場合に、前記薬剤が予期しないほど早く減少することを防止できる。
【発明の効果】
【００４３】
本発明によれば、溝または集水桝への設置時、容器に収容した薬剤を用いて前記溝または集水桝における害虫の発生を防止できるだけでなく、前記容器が不衛生な状態で前記薬剤の補充作業を行うことを回避できるとともに、前記溝または集水桝内の水の流れを阻害せず、前記容器の流失を防止できるグレーチングを提供できる。
【図面の簡単な説明】
【００４４】
【図１】本発明の第１実施形態に係るグレーチングの使用状態の一例を示す断面図である。
【図２】図１のグレーチングの平面図である。
【図３】図１のグレーチングの底面図である。
【図４】図２のＡ−Ａ矢視断面図である。
【図５】図２のＢ−Ｂ矢視断面図である。
【図６】図１のグレーチングにおける容器の平面図である。
【図７】本発明の第２実施形態に係るグレーチングの平面図である。
【図８】図７のＣ−Ｃ矢視断面図である。
【図９】図７のグレーチングの別実施例の平面図である。
【図１０】本発明の第３実施形態に係るグレーチングの断面図である。
【図１１】本発明の第４実施形態に係るグレーチングの断面図である。
【図１２】図１１のグレーチングの別実施例の断面図である。
【図１３】本発明の第５実施形態に係るグレーチングの断面図である。
【図１４】本発明の第６実施形態に係るグレーチングの断面図である。
【発明を実施するための形態】
【００４５】
まず、本発明の第１実施形態について図面を参照しつつ説明する。
【００４６】
図１に、本発明の第１実施形態に係るグレーチング１の使用状態の一例を表す断面図を示す。
【００４７】
図１に示されるように、グレーチング１は、排水・汚水の流通路（本実施形態においては、排水・汚水を集水するための集水桝２）に対して使用され得る。グレーチング１は、その使用時、集水桝２内の水（溜水部３）をその上方から覆うことができるように、集水桝２に設置される。
【００４８】
集水桝２は、本実施形態においては、流入管４と、流出管５とに接続されている。ここで、流入管４は、集水桝２の内部空間６に向かって排水・汚水を流入させるためのものである。流出管５は、集水桝２からその外側へ排水・汚水を流出させるためのものである。
【００４９】
集水桝２は、グレーチング１を設置するための開口部７を有している。開口部７は、集水桝２の内部空間６と外部空間８とを連通させるように、地面９の高さに合わせて形成されている。そしてこの開口部７に、グレーチング１を支持するための受部１０が設けられている。
【００５０】
なお、本発明に係るグレーチングは、本実施形態においては集水桝２に使用されるグレーチング１としているが、これに限定するものではなく、例えば、排水・汚水の流通路に含まれる側溝（排水・汚水を流通させ得る溝）に使用されるグレーチングとすることも可能である。
【００５１】
図２に、グレーチング１の平面図を示す。図３に、グレーチング１の底面図を示す。図４に、図２のＡ−Ａ矢視断面図を示す。図５に、図２のＢ−Ｂ矢視断面図を示す。図６に、グレーチング１における後述の容器１２の平面図を示す。
【００５２】
以下の説明では、図２、図３、図５における矢印Ｘの方向をグレーチング１の前方向とする。図２、図３、図４における矢印Ｙの方向をグレーチング１の左方向とする。図４、図５における矢印Ｚの方向をグレーチング１の上方向とする。
【００５３】
図２、図３、図４、図５に示されるように、グレーチング１は、グレーチング本体１１と、容器１２とを備えている。なお、グレーチング本体１１は公知のグレーチングと同様の構成を有するものである。グレーチング本体１１として、公知のグレーチングを採用することも可能である。
【００５４】
グレーチング本体１１は、上面部１５と、下面部１６と、上面部１５から下面部１６までを貫通する複数の貫通孔１７とを有し、図１に示されるように、上面部１５が集水桝２の外部空間８に臨みかつ下面部１６が集水桝２の内部空間６に臨むように、集水桝２の開口部７に装着可能に構成されている。
【００５５】
本実施形態において、グレーチング本体１１は、集水桝２の開口部７に応じた形状、具体的には矩形板状を有している。グレーチング本体１１は、集水桝２の開口部７への装着時に受部１０に載置される。グレーチング本体１１は、メインバー２５と、クロスバー２６と、エンドバー２７とを備えている。
【００５６】
メインバー２５は、金属製の部材である。メインバー２５は、複数設けられている。複数のメインバー２５は、それぞれ、グレーチング１の前後方向に延在するように配置されている。複数のメインバー２５は、また、グレーチング１の左右方向において一定間隔ごとに配置されている。
【００５７】
クロスバー２６は、金属製の部材である。ここで、クロスバー２６は、角鋼棒を捩じって形成された、いわゆるツイストバーである。クロスバー２６は、複数設けられている。複数のクロスバー２６は、それぞれ、グレーチング１の左右方向に延在するように配置されている。
【００５８】
複数のクロスバー２６は、また、グレーチング１の前後方向において一定間隔ごとに配置されている。各クロスバー２６は、複数のメインバー２５の上端部に固定されている。こうして、複数のクロスバー２６が、複数のメインバー２５と格子状に組まれている。
【００５９】
エンドバー２７は、金属製の部材である。エンドバー２７は、複数のメインバー２５の前方および後方の各々に設けられている。前側のエンドバー２７は、複数のメインバー２５の前端部に固定されている。後側のエンドバー２７は、複数のメインバー２５の後端部に固定されている。
【００６０】
そして、これらのメインバー２５、クロスバー２６およびエンドバー２７を適宜用いて、複数の貫通孔１７が形成されている。複数の貫通孔１７は、グレーチング１の前後方向に直線状に列をなすように配置されるとともに、グレーチング１の左右方向に直線状に列をなすように設けられている。
【００６１】
複数の貫通孔１７は、メインバー２５とクロスバー２６とにより形成される複数の第１貫通孔１７Ａと、メインバー２５とクロスバー２６とエンドバー２７とにより形成される複数の第２貫通孔１７Ｂとを含んでいる。複数の第１貫通孔１７Ａは、ほぼ均一な大きさの開口面積を有している。
【００６２】
複数の第２貫通孔１７Ｂは、ほぼ均一な大きさの開口面積を有している。第２貫通孔１７Ｂの開口面積は、第１貫通孔１７Ａの開口面積よりも小さく設定されている。なお、各貫通孔１７の開口面積は、このような開口面積に限定されず、適宜設定され得る。
【００６３】
図２、図３、図４、図５、図６に示されるように、容器１２は、害虫防除用の薬剤３０を収容するための収容部３１と、収容部３１の内部空間に薬剤３０を導入するための導入口３２と、収容部３１の内部空間から収容部３１の外部空間へ薬剤３０を放出するための放出孔３３とを有している。
【００６４】
そして、容器１２は、導入口３２が収容部３１の内部空間をグレーチング本体１１における複数の貫通孔１７のうち少なくとも１つの貫通孔１７と連通させかつ集水桝２の開口部７へのグレーチング本体１１の装着時に放出孔３３が集水桝２の内部空間６に臨むように、グレーチング本体１１の下面部１６側に設けられている。
【００６５】
本実施形態において、容器１２は、グレーチング本体１１に対して１つ設けられている。なお、容器１２は、１つのグレーチング本体１１に対して少なくとも１つ設けられるものであり、１つのグレーチング本体１１に対して複数設けられるものとすることも可能である。
【００６６】
容器１２は、グレーチング本体１１に対して殆ど移動しないように（ここでは相対移動不能）に、グレーチング本体１１の下面部１６側の部分に固定（固着）されている。容器１２は、グレーチング本体１１と隣り合うように、当該グレーチング本体１１のすぐ下に配置されている。
【００６７】
収容部３１は、金属製の部材である。収容部３１は、薬剤３０を収容できる形状、本実施形態においては箱状に形成されている。詳しくは、収容部３１は、中空の直方体状に形成されている。そして、収容部３１は、グレーチング本体１１と略平行に延在するように設けられている。
【００６８】
収容部３１は、グレーチング本体１１の前後幅よりも小さくかつ１つの第１貫通孔１７Ａの前後幅よりも大きい前後幅を有している。収容部３１は、グレーチング本体１１の左右幅よりも小さくかつ１つの第１貫通孔１７Ａの左右幅よりも大きい左右幅を有している。
【００６９】
収容部３１は、さらに、グレーチング本体１１の上下幅に対して同程度のまたは小さい上下幅を有している。なお、収容部３１の形状は、薬剤３０を収容でき、かつ、グレーチング本体１１が集水桝２の開口部７に装着される際にその装着を妨げないものであればよい。
【００７０】
収容部３１は、底部４１と、周壁部（前壁部４２、後壁部４３、左壁部４４および右壁部４５）とを有している。収容部３１は、その天井部（上部）が上方へ向かって開放されるように形成されている。そしてこの収容部３１の天井部に、導入口３２が設けられている。
【００７１】
底部４１は、矩形平板状に形成されており、グレーチング本体１１とほぼ同様に前後・左右に広がるように配置されている。底部４１は、グレーチング本体１１の前後・左右の中央部付近の下方に、グレーチング本体１１の下面部１６から離間した状態で設けられている。
【００７２】
前壁部４２および後壁部４３は、それぞれ、矩形平板状に形成されており、上下・左右に広がるように配置されている。前壁部４２および後壁部４３は、それぞれ、底部４１の前端部および後端部に、グレーチング本体１１側（上方）に向かって突出するように設けられている。
【００７３】
左壁部４４および右壁部４５は、それぞれ、矩形平板状に形成されており、上下・前後に広がるように配置されている。左壁部４４および右壁部４５は、それぞれ、底部４１の左端部および右端部に、グレーチング本体１１側（上方）に向かって突出するように設けられている。
【００７４】
こうして、収容部３１に、底部４１とその四方に配置された前記周壁部、即ち前壁部４２、後壁部４３、左壁部４４および右壁部４５により形成された内部空間が形成されている。そしてこの内部空間に、薬剤３０が、底部４１に載置されかつ前記周壁部により囲まれた状態で収容され得るようになっている。
【００７５】
導入口３２は、前述のように収容部３１の天井部（上部）に設けられており、上下方向に開口している。導入口３２は、容器１２の内部空間を少なくとも１つの貫通孔１７と連通させるため、グレーチング１の上下方向において所定の貫通孔１７（第１貫通孔１７Ａ）と対向するように配置されている。
【００７６】
導入口３２は、１つの貫通孔１７（１つの第１貫通孔１７Ａ）の開口面積よりも大きい開口面積を有している。導入口３２は、本実施形態においては、２つの第１貫通孔１７Ａの開口面積を足し合わせた開口面積よりも大きい開口面積を有している。なお、導入口３２の開口面積は、適宜設定され得る。
【００７７】
また、放出孔３３は、グレーチング本体１１が集水桝２の開口部７に装着されたとき、収容部３１の内部空間（薬剤３０が収容された収容空間）を、収容部３１の外部空間に、即ち集水桝２の内部空間６に連通させるように設けられている。放出孔３３は、丸孔状に形成されている。
【００７８】
放出孔３３は、収容部３１に少なくとも１つ設けられている。本実施形態において、放出孔３３は収容部３１に複数設けられている。複数の放出孔３３は、それぞれ収容部３１の底部４１にこれを上下方向に貫通するように設けられ、この底部４１に分散した状態で配置されている。
【００７９】
なお、本発明における放出孔は、本実施形態においては前述のような放出孔３３としているが、これに限定するものではなく、例えば、長孔状に形成された１つの放出孔としてもよいし、収容部３１における前記周壁部に配置された少なくとも１つの放出孔としてもよい。
【００８０】
また、収容部３１（容器１２）に収容される薬剤３０としては、蚊またはハエ等の害虫の発生を防止できる公知の害虫防除用薬剤を採用することができる。この薬剤としては、例えば、商品名：スミラブ固形剤WM「SES」（住化エンバイロメンタルサイエンス株式会社製）を挙げることができる。
【００８１】
このような構成により、グレーチング１の使用時、即ちグレーチング１を集水桝２に設置したとき（グレーチング本体１１を集水桝２の開口部７に装着したとき）、収容部３１に収容した薬剤３０を集水桝２の内部空間６（溜水部３）へ放出孔３３を介して放出（徐放）することが可能となる。したがって、薬剤３０を用いて、集水桝２における害虫の発生を防止できる。
【００８２】
また、前記薬剤３０として、グレーチング本体１１の貫通孔１７を通過可能な大きさを有する粒状、粉状、錠剤状または細断状等の薬剤を使用する場合、集水桝２の開口部７に装着されたグレーチング本体１１を当該開口部７から取り外すことなく、即ちグレーチング１を集水桝２に設置したまま、薬剤３０を貫通孔１７および容器１２の導入口３２を介して収容部３１に補充できる。
【００８３】
そのため、グレーチング本体１１が集水桝２の開口部７に装着された状態で時間が経過して、集水桝２内の水に含まれる泥等の汚物により収容部３１（容器１２）が汚れた場合であっても、この収容部３１の衛生状態にかかわりなく、薬剤の補充作業を行うことが可能となる。よって、不衛生な状態で薬剤の補充作業を行うことを回避できる。
【００８４】
さらに、グレーチング１の使用時に、集中豪雨の発生等により集水桝２内において増水が生じた場合であっても、容器１２を水没しにくいものにして、集水桝２から排出されようとする水の流れを容器１２が阻害することを抑制できる。しかも、容器１２をグレーチング本体１１に固定（固着）するので、このような場合に容器１２が流出管５を介して流失することを防止できる。
【００８５】
また、グレーチング１の使用時には、グレーチング本体１１を集水桝２の開口部７に装着した状態で、降雨等の自然現象や人為的な給水行為による水を、集水桝２の外部空間８から、グレーチング本体１１の所定の貫通孔１７とこれに連通する容器１２の導入口３２を介して、収容部３１の内部空間（薬剤３０が収容された収容空間）に導入することが可能となる。
【００８６】
したがって、薬剤３０を水溶性薬剤とした場合に、収容部３１の内部空間に導入された水により薬剤３０を任意の時期に水に溶かして集水桝２の内部空間６（溜水部３）に放出（徐放）できる。よって、薬剤３０を、収容部３１に一旦収容すれば、手間をあまりかけることなく、比較的長期間に亘って効果を持続するものにできる。
【００８７】
また、本実施形態においては、図２、図３、図４、図５に示されるように、グレーチング１が、容器１２をグレーチング本体１１に着脱可能に固定（固着）するための着脱機構５０を備えている。容器１２は、着脱機構５０によりグレーチング本体１１に着脱可能に固定されている。
【００８８】
詳しくは、着脱機構５０は、固定部材５１と、取付部材５２と、締結部材（ナット５３およびボルト５４）とを有している。この着脱機構５０においては、固定部材５１、取付部材５２、ナット５３およびボルト５４が、それぞれ、容器１２の左右両側に設けられている。
【００８９】
固定部材５１は、片状部材である。固定部材５１は、第１挿通孔を有している。この第１挿通孔は、固定部材５１にこれを上下方向に貫通するように設けられている。固定部材５１は、前記第１挿通孔が隣り合うメインバー２５間に位置するように、これらのメインバー２５に溶接等により固着されている。
【００９０】
取付部材５２は、板状部材である。取付部材５２は、第２挿通孔を有している。この第２挿通孔は、取付部材５２にこれを上下方向に貫通するように設けられている。取付部材５２は、前記第２挿通孔が前記第１挿通孔に一致するように、固定部材５１の下方に配置されている。
【００９１】
左右両側の取付部材５２のうち、左側の取付部材５２は、その右端部で容器１２の収容部３１の左壁部４４の上端部に一体的に連結されている。左右両側の取付部材５２のうち、右側の取付部材５２は、その左端部で容器１２の収容部３１の右壁部４５の上端部に一体的に連結されている。
【００９２】
ナット５３は、ネジ孔を有している。ナット５３は、前記ネジ孔が固定部材５１の第１挿通孔と一致するように、隣り合うメインバー２５間で固定部材５１の上方に配置されている。そして、ナット５３は、固定部材５１に載置された状態で、当該固定部材５１に固着されている。
【００９３】
ボルト５４は、ナット５３に対応するものである。ボルト５４は、取付部材５２の下方から前記第２挿通孔および前記第１挿通孔に順次挿通された状態で、ナット５３のネジ孔に螺着されている。ボルト５４の締め付けにより、取付部材５２が固定部材５１に固定されている。
【００９４】
このような構成により、着脱機構５０を用いて、容器１２をグレーチング本体１１に対して着脱することが可能となる。容器１２をグレーチング本体１１から取り外すことによって、容器１２の導入口３２をこれに近接した状態で対向するグレーチング本体１１から離間させ、これにより開放された導入口３２を介して薬剤３０を収容部３１に補充（導入）できる。
【００９５】
たとえば、薬剤３０として、グレーチング本体１１の貫通孔１７を通過不能な大きさを有する塊状の薬剤を使用する場合、集水桝２の開口部７に装着されたグレーチング本体１１を当該開口部７から取り外し、つづいて容器１２をグレーチング本体１１から取り外すことによって、容器１２の導入口３２を開放し、その導入口３２を介して薬剤３０を収容部３１に補充できる。
【００９６】
容器１２（収容部３１）は、通常、集水桝２内の水（溜水部３）の外側に位置させて、集水桝２内で水中に設置せずに済む。そのため、収容部３１をグレーチング１の使用時に汚れにくくして、グレーチング本体１１を集水桝２の開口部７から取り外したとき（容器１２を集水桝２から取り出したとき）に収容部３１が不衛生なものなっていることを防止できる。よって、不衛生な状態で薬剤の補充作業を行うことを回避できる。
【００９７】
なお、本発明における着脱機構は、本実施形態においてはナット５３およびボルト５４からなる締結部材を有する着脱機構５０としているが、これに限定するものではなく、容器１２をグレーチング本体１１に対し殆ど移動しないように取り付けかつその取付後に比較的容易に取り外すことができるものであればよい。
【００９８】
次に、本発明の第２実施形態について図面を参照しつつ説明する。
【００９９】
図７に、本発明の第２実施形態に係るグレーチング６１の平面図を示す。図８に、図７のＣ−Ｃ矢視断面図を示す。なお、図中、第１実施形態に係るグレーチング１の構成要素と実質的に同じ構成要素については、図中で同じ符号を付している。
【０１００】
図７および図８に示されるように、本実施形態に係るグレーチング６１は、水量調整機構６３がグレーチング本体１１に設けられる点で、第１実施形態に係るグレーチング１と相違する。
【０１０１】
水量調整機構６３は、容器１２の収容部３１の内部空間へ、グレーチング本体１１における複数の貫通孔１７のうち収容部３１の内部空間と連通する貫通孔１７（第１貫通孔１７Ａ）と、容器１２の導入口３２とを介して導入される水の量を調整できるように構成されている。
【０１０２】
本実施形態において、水量調整機構６３は、所定の貫通孔１７、即ち導入口３２と連通する貫通孔１７（第１貫通孔１７Ａ）と、この貫通孔１７の近傍に配置された貫通孔１７（第１貫通孔１７Ａ）とに設けられている。水量調整機構６３は、支持部材６５と、充填材６６とを備えている。
【０１０３】
詳しくは、水量調整機構６３は、これが設けられた貫通孔１７と同数設けられた支持部材６５と、各支持部材６５に支持された状態で、水量調整機構６３が設けられた貫通孔１７を満たすことができるように設けられた充填材６６とを備えている。
【０１０４】
支持部材６５は、板状部材である。支持部材６５は、少なくとも１つの透水孔を有している。支持部材６５は、水量調整機構６３が設けられた各貫通孔１７に充填材６６を充填するための充填用空間が形成されるように、当該各貫通孔１７内に配置されている。そして、支持部材６５は、グレーチング本体１１に固着されている。
【０１０５】
充填材６６は、ガラスやセラミック等の粒状部材から構成されている。充填材６６は、水量調整機構６３が設けられた各貫通孔１７（その充填用空間）に、透水可能なように（即ち、水のみが通過する程度の無数の連続した空隙が生じるように）充填されている。なお、充填材６６は、充填時に支持部材６５の各透水孔から落下しない形状を有している。
【０１０６】
このような構成により、グレーチング１を集水桝２に設置した場合に、水が集水桝２の外部空間８から所定の貫通孔１７および導入口３２を介して収容部３１の内部空間に入ろうとするとき、その水の量を水量調整機構６３により調整することが可能となる。したがって、収容部３１の内部空間へ入る水の量が所定期間で所望の量を超えることを回避できる。
【０１０７】
すなわち、降雨等の自然現象や人為的な給水行為による水が集水桝２の外部空間８から所定の貫通孔１７および導入口３２を介して収容部３１の内部空間へ導入されるとき、その導入される水の導入量が一時に過剰となることを回避できる。したがって、薬剤３０を水溶性薬剤とした場合に、薬剤３０が予期しないほど早く減少することを防止できる。
【０１０８】
なお、本発明における水量調整機構は、本実施形態においては導入口３２と対向する貫通孔１７の全部に適用された水量調整機構６３としているが、これに限定するものではなく、例えば、図９に示すように、導入口３２と対向する貫通孔１７の一部のみに適用された水量調整機構６８としてもよい。
【０１０９】
次に、本発明の第３実施形態について図面を参照しつつ説明する。
【０１１０】
図１０に、本発明の第３実施形態に係るグレーチングの断面図を示す。なお、図中、第１実施形態に係るグレーチング１の構成要素と実質的に同じ構成要素については、図中で同じ符号を付している。
【０１１１】
図１０に示されるように、本実施形態に係るグレーチングは、着脱機構５０が備えられる点などでは第１実施形態に係るグレーチング１と同じであるが、閉塞部材７３がグレーチング本体１１に設けられる点で、第１実施形態に係るグレーチング１と相違する。
【０１１２】
閉塞部材７３は、複数の貫通孔１７のうち導入口３２のグレーチング本体１１側（上方側）に配置された貫通孔１７（第１貫通孔１７Ａ）を閉塞するためのものである。閉塞部材７３は、導入口３２をグレーチング本体１１側から遮蔽するように設けられている。
【０１１３】
ここで、閉塞部材７３は、グレーチング１の使用に適した耐久性等を考慮しつつ、導入口３２のグレーチング本体１１側に配置された貫通孔１７、即ち導入口３２に対向するように配置された貫通孔１７の一部または全部を閉塞できるように適宜構成される。
【０１１４】
このような構成により、閉塞部材７３により容器１２の導入口３２をその上方側（グレーチング本体１１側）から遮蔽し、これにより集水桝２の外部空間８から貫通孔１７および導入口３２を介して収容部３１の内部空間にゴミ等の不要物が入ることを抑制できる。
【０１１５】
また、集水桝２へのグレーチング１の設置時、集水桝２の開口部７に装着されたグレーチング本体１１を当該開口部７から取り外し、つづいて着脱機構５０を用いて容器１２をグレーチング本体１１から取り外すことによって、閉塞部材７３による導入口３２の遮蔽状態を解除して、導入口３２を開放できる。したがって、薬剤３０を、導入口３２を介して収容部３１に補充できる。
【０１１６】
容器１２（収容部３１）は、通常、集水桝２内の水（溜水部３）の外側に位置させて、集水桝２内で水中に設置せずに済む。そのため、収容部３１をグレーチング１の使用時に汚れにくくして、グレーチング本体１１を集水桝２の開口部７から取り外したとき（容器１２を集水桝２から取り出したとき）に収容部３１が不衛生なものになっていることを防止できる。よって、不衛生な状態で薬剤の補充作業を行うことを回避できる。
【０１１７】
次に、本発明の第４実施形態について図面を参照しつつ説明する。
【０１１８】
図１１に、本発明の第４実施形態に係るグレーチングの断面図を示す。なお、図中、第１実施形態に係るグレーチング１の構成要素と実質的に同じ構成要素については、図中で同じ符号を付している。
【０１１９】
図１１に示されるように、本実施形態に係るグレーチングは、容器１２の導入口３２が集水桝２の内部空間６に臨むように、容器１２がグレーチング本体１１の下面部１６側に固定される点で、第１実施形態に係るグレーチング１と相違する。
【０１２０】
容器１２の導入口３２は、収容部８３の周壁部（または底部）に設けられている。収容部８３は、本実施形態においては、第１実施形態に係るグレーチング１における容器１２の収容部３１の天井部を閉塞したような箱状に形成され、その天井部でメインバー２５の下端部に溶接等により固定（固着）されている。
【０１２１】
本実施形態において、導入口３２は、収容部８３の周壁部のうち左壁部にこれを左右方向に貫通するように設けられている。導入口３２は、収容部８３の上方寄りに配置されている。導入口３２は、収容部８３の外部空間から内部空間へ向かって薬剤３０を通過させ得る大きさの開口面積を有している。
【０１２２】
このような構成により、集水桝２へのグレーチング１の設置時、集水桝２の開口部７に装着されたグレーチング本体１１を当該開口部７から取り外すことによって、容器１２の導入口３２を集水桝２の外部空間８に露出させ、その導入口３２を介して薬剤３０を収容部８３に補充できる。
【０１２３】
容器１２（収容部８３）は、通常、集水桝２内の水（溜水部３）の外側に位置させて、集水桝２内で水中に設置せずに済む。そのため、収容部８３をグレーチング１の使用時に汚れにくくして、グレーチング本体１１を集水桝２の開口部７から取り外したとき（容器１２を集水桝２から取り出したとき）に収容部３１が不衛生なものになっていることを防止できる。よって、不衛生な状態で薬剤の補充作業を行うことを回避できる。
【０１２４】
また、この場合、容器１２には、図１２に示すように、導入口３２を開閉可能に覆うための開閉部材８５を備えてもよい。開閉部材８５は、例えば、収容部８３に着脱可能にまたは回動可能に設けられる。そして、開閉部材８５は、公知のロック機構により閉じられた状態（導入口３２を覆う状態）に保持され得る。
【０１２５】
この構成により、開閉部材８５を閉じられた状態とすることによって、収容部８３への薬剤３０の収容後に、薬剤３０が収容部８３の外部空間に導入口３２から抜け落ちることを防止できる。また、集水桝２内の水が収容部８３の内部空間に浸入することを阻止して、薬剤３０が水溶性薬剤である場合に、想定外の水により薬剤３０が予期しないほど早く減少することを防止できる。
【０１２６】
次に、本発明の第５実施形態について図面を参照しつつ説明する。
【０１２７】
図１３に、本発明の第５実施形態に係るグレーチングの断面図を示す。なお、図中、第４実施形態に係るグレーチングの構成要素と実質的に同じ構成要素については、図中で同じ符号を付している。
【０１２８】
図１３に示されるように、本実施形態に係るグレーチングは、連通孔８８が容器１２の収容部８３に設けられる点で、第４実施形態に係るグレーチング１と相違する。
【０１２９】
連通孔８８は、収容部８３の内部空間をグレーチング本体１１における複数の貫通孔１７のうち少なくとも１つの貫通孔１７と連通させるものである。詳しくは、連通孔８８は、収容部８３の天井部（上部）に設けられており、上下方向に開口している。連通孔８８は、グレーチング本体１１の下方において、所定の貫通孔１７（第１貫通孔１７Ａ）と対向するように配置されている。
【０１３０】
このような構成により、グレーチング１の使用時に、グレーチング本体１１を集水桝２の開口部７に装着した状態で、降雨等の自然現象や人為的な給水行為による水を、集水桝２の外部空間８から、グレーチング本体１１の所定の貫通孔１７とこれに連通する容器１２の連通孔８８とを介して、収容部８３の内部空間（薬剤３０が収容された収容空間）に導入することが可能となる。
【０１３１】
したがって、薬剤３０を水溶性薬剤とした場合に、収容部８３の内部空間に導入された水により、収容部８３の内部空間に収容された薬剤３０を任意の時期に水に溶かして集水桝２の内部空間６（溜水部３）に放出（徐放）できる。よって、薬剤３０を、収容部８３に一旦収容すれば、手間をあまりかけることなく、比較的長期間に亘って効果を持続するものにできる。
【０１３２】
次に、本発明の第６実施形態について図面を参照しつつ説明する。
【０１３３】
図１４に、本発明の第６実施形態に係るグレーチングの断面図を示す。なお、図中、第５実施形態に係るグレーチングの構成要素と実質的に同じ構成要素については、図中で同じ符号を付している。
【０１３４】
図１４に示されるように、本実施形態に係るグレーチングは、水量調整機構９３がグレーチング本体１１に設けられる点で、第５実施形態に係るグレーチングと相違する。
【０１３５】
水量調整機構９３は、容器１２の収容部８３の内部空間へ、グレーチング本体１１における複数の貫通孔１７のうち収容部８３の内部空間と連通する貫通孔１７（第１貫通孔１７Ａ）と、容器１２の連通孔８８とを介して導入される水の量を調整できるように構成されている。
【０１３６】
本実施形態において、水量調整機構９３は、連通孔８８と対向するように連通孔８８の上方に配置された所定の貫通孔１７（第１貫通孔１７Ａ）に設けられている。水量調整機構９３は、支持部材６５と充填材６６とを備えるものであり、第２実施形態における水量調整機構６３と実質的に同じ構成を有している。
【０１３７】
このような構成により、グレーチング１を集水桝２に設置した場合に、水が集水桝２の外部空間８から所定の貫通孔１７および連通孔８８を介して収容部８３の内部空間に入ろうとするとき、その水の量を水量調整機構６３により調整することが可能となる。したがって、収容部８３の内部空間へ入る水の量が所定期間で所望の量を超えることを回避できる。
【０１３８】
すなわち、降雨等の自然現象や人為的な給水行為による水が集水桝２の外部空間８から所定の貫通孔１７および連通孔８８を介して収容部８３の内部空間へ導入されるとき、その導入される水の導入量が一時に過剰となることを回避できる。したがって、薬剤３０を水溶性薬剤とした場合に、薬剤３０が予期しないほど早く減少することを防止できる。
【０１３９】
なお、本発明における水量調整機構は、本実施形態においては収容部８３の連通孔８８と対向する貫通孔１７の全部に適用された水量調整機構９３としているが、これに限定するものではなく、例えば、収容部８３の連通孔８８と対向する貫通孔１７の一部のみに適用された水量調整機構としてもよい。
【０１４０】
また、本発明における水量調整機構は、第２実施形態および本実施形態においては支持部材６５と充填材６６とを備えるものとしているが、これに限定するものではなく、グレーチング本体１１の少なくとも１つの貫通孔１７を介して容器１２の内部空間へ導入される水の量を調整できるものであればよい。
【０１４１】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【０１４２】
１    グレーチング
２    集水桝
６    集水桝の内部空間
７      開口部
８    集水桝の外部空間
１１  グレーチング本体
１２  容器
１５  グレーチングの上面部
１６  グレーチングの下面部
１７  貫通孔
３０  薬剤
３１  収容部
３２  導入口
３３  放出孔
５０  着脱機構
６１  グレーチング
６３  水量調整機構
６８  水量調整機構
８３  収容部
８５  開閉部材
８８  連通孔
９３  水量調整機構
【図１】
2019056257.tif 000003
【図２】
2019056257.tif 000004
【図３】
2019056257.tif 000005
【図４】
2019056257.tif 000006
【図５】
2019056257.tif 000007
【図６】
2019056257.tif 000008
【図７】
2019056257.tif 000009
【図８】
2019056257.tif 000010
【図９】
2019056257.tif 000011
【図１０】
2019056257.tif 000012
【図１１】
2019056257.tif 000013
【図１２】
2019056257.tif 000014
【図１３】
2019056257.tif 000015
【図１４】
2019056257.tif 000016